(57)【要約】【課題】踵部やつま先部でのずれを好適に防止することが可能なフットカバーを提供する。【解決手段】履き口１０が上面に形成され、履き口１０の前方に位置する前方袋部１と、履き口１０の下方に位置する足底部６と、履き口１０の後方に位置する踵部７と、を備えたフットカバー５０であって、踵部７における履き口１０の後方縁部１０ｒに沿った上方帯状領域に、踵部７における当該上方帯状領域よりも下方側の領域よりも弾性が高い高弾性踵上端帯状部２０が設けられている。【選択図】図１
2020090747.tif 000002
【特許請求の範囲】
【請求項１】
履き口が上面に形成され、
前記履き口の前方に位置する前方袋部と、前記履き口の下方に位置する足底部と、前記履き口の後方に位置する踵部と、を備えたフットカバーであって、
前記踵部における前記履き口の後方縁部に沿った上方帯状領域に、前記踵部における当該上方帯状領域より下方側の領域よりも弾性が高い高弾性踵上端帯状部が設けられているフットカバー。
【請求項２】
前記履き口の後方縁部が、前記踵部の上方端部を折り返してなる折り返し部として構成され、
前記高弾性踵上端帯状部が、前記折り返し部の下縁部に隣接して設けられている請求項１に記載のフットカバー。
【請求項３】
前記踵部における少なくとも前記高弾性踵上端帯状部の内面に、高摩擦材料製の滑り止め部が設けられている請求項１又は２に記載のフットカバー。
【請求項４】
前記履き口の両側方縁部の複数個所から足底に向けて延出する複数の側部ゴアラインが設けられている請求項１〜３の何れか１項に記載のフットカバー。
【請求項５】
前記履き口の前方縁部を通って全周にわたる帯状領域に、前記足底部における他の領域よりも前後方向での伸縮性が高い高伸縮前方帯状部が設けられている請求項１〜４の何れか１項に記載のフットカバー。
【請求項６】
前記足底部における周方向に延びる前記履き口の両側方縁部間の帯状領域に、前記足底部における他の領域よりも前後方向での伸縮性が高い高伸縮足底帯状部が設けられている請求項１〜５の何れか１項に記載のフットカバー。
【請求項７】
前記前方袋部において少なくとも前記履き口の前方縁部の両端部の前方側の部分に、前記足底部よりも前後方向での伸縮性が低い低伸縮部が設けられている請求項１〜６の何れか１項に記載のフットカバー。
【請求項８】
前記履き口の両側方縁部が、往復編みで編成された前記足底部の両側方端部として構成されている請求項１〜７の何れか１項に記載のフットカバー。
【発明の詳細な説明】
【技術分野】
【０００１】
本発明は、履き口が上面に形成され、前記履き口の前方に位置する前方袋部と、前記履き口の下方に位置する足底部と、前記履き口の後方に位置する踵部と、を備えたフットカバーに関する。
【背景技術】
【０００２】
靴下の一種として、スニーカやパンプス等の靴を履くときに着用しても、殆どが靴の内側に隠れて見えなくなって、素足で靴を履いているように見えるフットカバーが知られている。
かかるフットカバーは他の普通の靴下に比べて履き口が大きく開口しているため、フットカバーの踵部が歩行中にずれて脱げてしまうという問題がある。
そして、このような問題を解決するフットカバーとして、踵部の略中央の後方膨出部分の内面にシリコン樹脂製の滑り止め部が設けられたもの（例えば特許文献１を参照。）が提案されている。
【先行技術文献】
【特許文献】
【０００３】
【特許文献１】特開２０１４−４３６６２号公報
【発明の概要】
【発明が解決しようとする課題】
【０００４】
フットカバーの踵部は、着用者の踵の形状に沿って後方に膨出する部分であり、好適な装着感を確保するべく比較的柔軟な編地として構成されている。よって、このような柔軟な踵部では、略中央部の内面に設けられた滑り止め部を着用者の踵表面に押し付けるための力が生じ難くなり、フットカバーの踵部のずれ防止効果が十分に発揮できない場合があった。
また、フットカバーの踵部における略中央部の内面に厚みを有する滑り止め部を設けた場合には、その滑り止め部に対応する踵部の外面に凸部が形成される。すると、このフットカバーの踵部外面に形成された凸部が、靴の踵部内面に当接して、両者の間に比較的大きな摩擦力が生じる。そして、このような摩擦力が生じることにより、靴の内部でフットカバーの踵部が着用者の踵からずれるという問題が発生する場合がある。
【０００５】
この実情に鑑み、本発明の主たる課題は、踵部やつま先部でのずれを好適に防止することが可能なフットカバーを提供する点にある。
【課題を解決するための手段】
【０００６】
本発明の第１特徴構成は、履き口が上面に形成され、
前記履き口の前方に位置する前方袋部と、前記履き口の下方に位置する足底部と、前記履き口の後方に位置する踵部と、を備えたフットカバーであって、
前記踵部における前記履き口の後方縁部に沿った上方帯状領域に、前記踵部における当該上方帯状領域より下方側の領域よりも弾性が高い高弾性踵上端帯状部が設けられている点にある。
【０００７】
本構成によれば、着用時に履き口が前後方向に伸張する際に、履き口が着用者の足首周りで広がると、踵部の上方帯状領域に設けられた高弾性踵上端帯状部が履き口の縁部に沿って伸張することで、履き口の両側方縁部の後端部を後方に引き寄せる方向に、高弾性踵上端帯状部に比較的大きな張力が生じる。このように高弾性踵上端帯状部に張力が生じることで、着用者の踵上方の窪み（アキレス腱部の窪み）へ引っ掛かる履き口の後方縁部の両端部に対して、前方へ向かう引き寄せ力が作用することになり、フットカバーの踵部のずれを好適に防止することができる。
更に、このような高弾性踵上端帯状部に生じた張力が履き口の両側縁部を通じて前方に伝達されることで、履き口の前方縁部の両端部に対して、後方に向かう引き寄せ力が作用することになるので、例えば履き口を前方に大きくとった場合であっても、フットカバーのつま先部のずれを好適に防止することができる。
また、高弾性踵上端帯状部が前方にある履き口の両側方縁部に向かって伸縮性が高くなるので、踵部における当該高弾性踵上端帯状部よりも下方側を着用者の踵にフィットする膨らみを持った形状にして、フットカバーの踵部のずれを一層好適に防止することができる。
従って、本発明により、踵部やつま先部でのずれを好適に防止することが可能なフットカバーを提供することができる。
【０００８】
本発明の第２特徴構成は、前記履き口の後方縁部が、前記踵部の上方端部を折り返してなる折り返し部として構成され、
前記高弾性踵上端帯状部が、前記折り返し部の下縁部に隣接して設けられている点にある。
【０００９】
本構成によれば、履き口の後方縁部を上記折り返し部として構成することで、着用者の踵上方の窪みへの履き口の後方縁部の引っ掛かりを良好なものとして、踵部のずれを一層防止することができる。
更に、このような折り返し部は、踵部の上方端部を折り返して構成されているので、それ以外の踵部の編地よりも伸縮性が低くなる。よって、履き口が着用者の足首周りで広がると、履き口の後方縁部として構成された折り返し部が履き口の縁部に沿って伸張することで、履き口の両側方縁部の後端部を後方に引き寄せる方向に、折り返し部に比較的大きな張力が生じる。
そして、この折り返し部に生じる張力とその下方側に隣接する高弾性踵上端帯状部に生じる張力とが合わさることで、履き口の後方縁部の両端部と履き口の前方縁部の両端部とを内側へ向かう引き寄せ力を増加させて、フットカバーの踵部及びつま先部のずれを一層好適に防止することができる。
【００１０】
本発明の第３特徴構成は、前記踵部における少なくとも前記高弾性踵上端帯状部の内面に、高摩擦材料製の滑り止め部が設けられている点にある。
【００１１】
本構成によれば、踵部の上方帯状領域に設けられた高弾性踵上端帯状部に生じる張力により、少なくともその内面に設けられた滑り止め部が、比較的大きな引き寄せ力で着用者の踵上方の表面に押し付けられることになる。よって、着用者の踵上部の表面に対する滑り止め部の摩擦力を増加させることができ、フットカバーの踵部のずれを一層良好に防止することができる。
【００１２】
本発明の第４特徴構成は、前記履き口の両側方縁部の複数個所から足底に向けて延出する複数の側部ゴアラインが設けられている点にある。
【００１３】
本構成によれば、履き口の両側方縁部の複数個所から下方の足底に向けて延出する複数の側部ゴアラインが設けられているので、足底部は十分な膨らみを持ったものとなる。よって、ずれや脱げることを防止するべく履き口の両側方縁部に高弾性踵上端帯状部で生じた張力が伝達される場合であっても、着用者に対して窮屈な装着感を与えることを抑制することができる。
【００１４】
本発明の第５特徴構成は、前記履き口の前方縁部を通って全周にわたる帯状領域に、前記足底部における他の領域よりも前後方向での伸縮性が高い高伸縮前方帯状部が設けられている点にある。
【００１５】
本構成によれば、履き口の前方縁部には全周にわたる帯状領域に前後方向に伸縮性が高い高伸縮前方帯状部が設けられているので、前方袋部と足底部との境界部に位置する高伸縮前方帯状部の下半周部の幅が柔軟に変化する形態で、前後方向に柔軟に伸縮自在となる。このことで、ずれや脱げることを防止するべく履き口の両側方縁部に対して高弾性踵上端帯状部で生じた張力が伝達される場合であっても、着用者に対して窮屈な装着感を与えることを抑制することができる。更に、高伸縮前方帯状部の下半周部が前後方向に伸長して前方袋部の下面部分が足底部に対して前方側に変位することに伴って、着用者の足甲に沿う前方袋部の上面部分が後方側の履き口に向けて変位することになるので、当該前方袋部が着用者のつま先から脱げることを抑制できる。
【００１６】
本発明の第６特徴構成は、前記足底部における周方向に延びる前記履き口の両側方縁部間の帯状領域に、前記足底部における他の領域よりも前後方向での伸縮性が高い高伸縮足底帯状部が設けられている点にある。
【００１７】
本構成によれば、足底部にはそれを横断する帯状領域に前後方向に伸縮性が高い高伸縮足底帯状部が設けられているので、その高伸縮足底帯状部の幅が柔軟に変化する形態で、履き口の両側方縁部を除く足底部が前後方向に柔軟に伸縮自在となる。このことで、ずれや脱げることを防止するべく履き口の両側方縁部に高弾性踵上端帯状部で生じた張力が伝達される場合であっても、着用者に対して窮屈な装着感を与えることを抑制することができる。
【００１８】
本発明の第７特徴構成は、前記前方袋部において少なくとも前記履き口の前方縁部の両端部の前方側の部分に、前記足底部よりも前後方向での伸縮性が低い低伸縮部が設けられている点にある。
【００１９】
本構成によれば、履き口の前方に位置する前方袋部に上記低伸縮部が設けられているので、着用時に全体が前後方向に伸張する際に、上記低伸縮部での前後方向の伸張が足底部よりも抑制されることになる。すると、上記低伸縮部から履き口の前方縁部の両端部に対して前方へ向かう引き寄せ力が生じ、その引き寄せ力が履き口の側方縁部を通じて後方に伝達される。
そして、この前方の低伸縮部によって生じる引張力と後方の高弾性踵上端帯状部によって生じる引き寄せ力とが合わさることで、履き口の後方縁部の両端部と履き口の前方縁部の両端部とを内側へ向かう引き寄せ力を増加させて、フットカバーの踵部及びつま先部のずれを一層好適に防止することができる。
【００２０】
本発明の第８特徴構成は、前記履き口の両側方縁部が、往復編みで編成された前記足底部の両側方端部として構成されている点にある。
【００２１】
本構成によれば、往復編みの両側方端部についてはウェール方向（編地の縦方向）の伸縮性が低下することを利用して、履き口の両側方縁部を往復編みで編成された足底部の両側方端部として構成することで、踵部の上方帯状領域に設けられた高弾性踵上端帯状部から履き口の両側方縁部の後方端部に伝達された引き寄せ力を、伸縮性が低い履き口の両側方縁部を通じて確実に前方側へ作用させることができる。よって、履き口の後方縁部の両端部及び履き口の前方縁部の両端部に対して、内側の履き口の両側方縁部に向かう引き寄せ力を確実に作用させて、フットカバーの踵部及びつま先部のずれを一層好適に防止することができる。
【図面の簡単な説明】
【００２２】
【図１】第１実施形態に係るフットカバーの側面図
【図２】第１実施形態に係るフットカバーの踵部を内面側から見た部分図
【図３】第２実施形態に係るフットカバーの側面図
【発明を実施するための形態】
【００２３】
〔第１実施形態〕
本発明に係るフットカバーの第１実施形態について、図１及び図２に基づいて説明する。
本実施形態のフットカバー５０は、図１に示すように、履き口１０が上面に形成され、その履き口１０の前方に位置する前方袋部１と、その履き口１０の下方に位置する足底部６と、その履き口１０の後方に位置する踵部７と、を備えて構成されている。尚、このようなフットカバー５０は、公知の全自動丸編み機によって一体的に編成することができる。
【００２４】
フットカバー５０は、前後方向に伸張させながら履き口１０に足を挿入して着用され、着用時において履き口１０からは、着用者の足首と足甲の大部分が露出された状態となる。よって、スニーカやパンプス等の靴を履くときにこのようなフットカバー５０を着用すると、その殆どが靴の内側に隠れて見えなくなり、素足で靴を履いているように見える。
【００２５】
履き口１０の前方に位置する前方袋部１は、全周丸編みで編成されたリング部３と当該リング部３の下半周部からつま先を包むように往復編みで編成されてリング部３の上半周部に対してリンキング等による縫合部１２で縫合されたつま先部２とで構成されている。尚、このつま先部２の両側面には、当該つま先部２を立体的に膨らむように形成するために、縫合部１２の両端部から前方に延出するゴアライン１３が設けられている。尚、本実施形態において、前方袋部１は、後述する低伸縮部４を除いて、通常のメリヤス編みにより編成されている。また、ゴアライン１３の形状については、先端を二又に分割するなどのように適宜変更可能である。
【００２６】
履き口１０の下方に位置する足底部６は、リング部３の下半周部から着用者の足底や足側部に沿って往復編みにより編成されている。履き口１０の後方に位置する踵部７は、足底部６の後方から着用者の踵を包むように往復編みで編成されている。尚、踵部７の両側面には、当該踵部７を立体的に膨らむように形成するために、履き口１０の両側方縁部１０ｓの後方部分から後方に延出するゴアライン１４が設けられている。尚、足底部６及び踵部７は、後述する折り返し部８を除いて、通常のメリヤス編みにより編成されている。また、ゴアライン１４の形状については、先端を二又に分割するなどのように適宜変更可能である。
【００２７】
履き口１０は、リング部３の上半周部の後方端部となる前方縁部１０ｆと、足底部６の両側方端部となる両側方縁部１０ｓと、踵部７の上方端部となる後方縁部１０ｒとで囲われた開口として形成されている。
【００２８】
以上がフットカバー５０の基本構成であるが、本実施形態のフットカバー５０は、装着製に優れていながら、踵部７やつま先部２でのずれを好適に防止するための特徴構成を有する。以下に、その特徴構成について説明を加える。
【００２９】
図１に示すように、踵部７における履き口１０の後方縁部１０ｒに沿った上方帯状領域には、踵部７における当該上方帯状領域より下方側の通常のメリヤス編みで編成された領域よりも弾性が高い高弾性踵上端帯状部２０が設けられている。この高弾性踵上端帯状部２０は、ゴム糸などの伸縮性が高い糸を用いたメリヤス編みで編成されているが、例えばゴム糸などの伸縮性の高い糸を添えて弾性を高めるように編成しても構わない。
【００３０】
更に、履き口１０の後方縁部１０ｒが、踵部７の上方端部を２重に折り返してなる折り返し部８として構成されており、上記高弾性踵上端帯状部２０は、当該折り返し部８の下縁部に隣接して設けられている。尚、本実施形態では、高弾性踵上端帯状部２０と折り返し部８とを隣接させているが、それらの間に通常のメリヤス編み部分を介在させるように構成しても構わない。
また、この折り返し部８には、ゴム糸などの伸縮性が高い糸が緯方向に挿入されている。即ち、折り返し部８は、他の部分よりも厚みがあって左右方向に高弾性の部分として構成されることになる。
これらのことにより、折り返し部８及び高弾性踵上端帯状部２０が配置された履き口１０の後方縁部１０ｒは、着用者の踵上方の窪みへの引っ掛かりが良好なものとなって、踵部７のずれが抑制されることになる。
【００３１】
このような構成により、着用時に履き口１０が前後方向に伸張する際に、履き口１０が着用者の足首周りで広がると、履き口１０の後方縁部１０ｒに設けられた高弾性踵上端帯状部２０及び折り返し部８が履き口１０の縁部に沿って伸張する。すると、履き口１０の両側方縁部１０ｓの後端部に対して、後方に向かう比較的大きな引き寄せ力が生じる。
そして、このような引き寄せ力が生じることで、着用者の踵上方の窪みへ引っ掛かる履き口１０の後方縁部１０ｒの両端部に対しては、前方へ引き寄せる反力が作用することになり、フットカバー５０の踵部７のずれが好適に防止される。
一方、この引き寄せ力が履き口１０の両側縁部を通じて前方に伝達されることで、履き口１０の前方縁部１０ｆの両端部に対しても、後方に向かう引き寄せ力が作用することになり、例えば履き口１０を前方に大きくとった場合であっても、フットカバー５０のつま先部２の特に小指部分などのずれが好適に防止される。
【００３２】
図２にも示すように、踵部７の内面には、シリコンゴム、天然ゴム、ポリウレタン等の高摩擦材料製の滑り止め部９が設けられている。この滑り止め部９は、少なくとも高弾性踵上端帯状部２０の内面に位置しており、具体的には、上下方向において高弾性踵上端帯状部２０を若干はみ出す幅を有する滑り止め部９が、最も後方となる中心部とその左右両側との３箇所に配置されている。
【００３３】
このように設けられた滑り止め部９は、高履き口１０の側方縁部１０ｓに沿って設けられた高弾性踵上端帯状部２０に生じる張力により、着用者の踵上方の表面に好適に押し付けられる。そして、このような押し付け力により、滑り止め部９と着用者の踵上部の表面との間に比較的大きな摩擦力が生じ、その大きな摩擦力により、フットカバー５０の踵部７のずれが一層好適に防止されることになる。
尚、滑り止め部９の形状や配置状態については適宜変更することができ、更に、当該滑り止め部９については省略しても構わない。
【００３４】
足底部６には、履き口１０の両側方縁部１０ｓの例えば３箇所等の複数個所から下方の足底に向けて延出する複数の側部ゴアライン１５が設けられており、これら複数の側部ゴアライン１５により、足底部６は十分な膨らみを持ったものとなる。よって、ずれや脱げることを防止するべく履き口１０の両側方縁部１０ｓに対して高弾性踵上端帯状部２０で生じた張力が伝達される場合であっても、着用者に対して窮屈な装着感を与えることが抑制されている。尚、この側部ゴアライン１５については、適宜その形状や配置状態を変更したり省略しても構わない。
【００３５】
図１に示すように、前方袋部１において少なくとも履き口１０の前方縁部１０ｆに沿った帯状領域には、足底部６において通常のメリヤス編みで編成された他の領域よりも前後方向での伸縮性が低い低伸縮部４が設けられている。具体的には、低伸縮部４は、前方袋部１の後方側を構成するリング部３において、上中央部から左右に延びる比較的幅が狭い帯状であって、その両端部を履き口１０の前方縁部１０ｆの両端部よりも若干下方側に位置させたものとして編成されている。そして、この低伸縮部４の両端部は、前方袋部１において少なくとも履き口１０の前方縁部１０ｆの両端部の前方側の領域に設けられ、足底部６よりも前後方向での伸縮性が低い部分となる。
【００３６】
また、低伸縮部４の前後方向の幅が比較的狭いものとされている。すると、着用者の足甲に沿う上面部分において、前後方向での伸縮性の低下が適度に抑制される。このことで、前後方向において突っ張るなどの低伸縮部４に起因する装着感の悪化が抑制されている。
【００３７】
編地のウェール方向（縦方向）に相当するフットカバー５０の前後方向において足底部６よりも伸縮性が低い低伸縮部４については、様々な方法により構成することができる。
例えば、足底部６が通常のメリヤス編みで編成されているのに対して、ウェール方向に伸び難い性質を有するタック編みにより低伸縮部４を編成することで、当該低伸縮部４の伸縮性を足底部６よりも低くすることができる。
【００３８】
また、このような低伸縮性の低伸縮部４は、例えば、給糸に高弾性又は非伸縮性等の添え糸や後の熱処理で硬化する熱融着糸を添えたメリヤス編み等で編成することでも、低伸縮部４の伸縮性を低下させることができる。また、上記以外の編成方法、例えば鹿の子編みやゴム編み等によっても、低伸縮性の低伸縮部４を編成することができる。また、この低伸縮部４は、塩化ビニルやシリコン製のラミネートを高温で定着させてなるプリント部として構成したり、低伸縮部４の編地に別の布地を縫合又は接着して２重構造とすることでも、当該低伸縮部４の伸縮性を低下させることができる。
【００３９】
このような低伸縮部４が前方袋部１のリング部３に設けられていることで、着用時に全体が前後方向に伸張する際に、上記低伸縮部４での前後方向の伸張が足底部６よりも抑制されることになる。すると、上記低伸縮部４の特に履き口１０の前方縁部１０ｆの両端部の前方側にある低伸縮部４から履き口１０の前方縁部１０ｆの両端部に対して前方へ向かう引き寄せ力が生じ、その引き寄せ力が履き口１０の側方縁部１０ｓを通じて履き口１０の後方縁部１０ｒの両端部に伝達されることになる。
【００４０】
このように履き口１０の後方縁部１０ｒの両端部に前方へ向かう引き寄せ力が作用すると、当該履き口１０の後方縁部１０ｒが着用者の踵上方の窪みに対して良好に引っ掛かり、その状態が維持される。このことで、踵部７が歩行中にずれることを一層好適に防止することができる。
更に、後方縁部１０ｒに伝達される引き寄せ力により、履き口１０の後方縁部１０ｒに設けられた高弾性踵上端帯状部２０の内面に設けられた滑り止め部９が、比較的大きな力で着用者の踵上方の表面に押し付けられる。このことにより、着用者の踵上部の表面に対する滑り止め部９の摩擦力が増加し、結果、フットカバー５０の踵部７のずれが一層良好に防止されることになる。
【００４１】
前方袋部１において全周丸編みで編成されたリング部３において、低伸縮部４の両端部が、履き口１０の前方縁部１０ｆの両側方縁部１０ｓに対する接続部である両端部の前方側の部分に設けられたものとなる。このことから、着用時において、低伸縮部４の両端部からその直後方側に位置する履き口１０の両側方縁部１０ｓの前端部に対して良好に前方へ向かう引き寄せ力が作用し、履き口１０の後方縁部１０ｒの両端部に伝達される引き寄せ力が増加する。よって、着用者の踵上方の表面に対する滑り止め部９の押し付け力が増加し、結果、踵部７のずれが一層防止される。
【００４２】
更に、低伸縮部４が、履き口１０の前方縁部１０ｆに沿った帯状の部分として構成されているので、着用時において、履き口１０の前方縁部１０ｆ全体を前方へ向かう引き寄せ力が生じることになり、着用者の足甲が履き口１０から一層大きく露出することになる。
【００４３】
往復編みの両側方端部についてはウェール方向の伸縮性が低下することから、往復編みで編成された足底部６の両側方端部として構成された履き口１０の両側方縁部１０ｓは、足底部６の中央部側よりもウェール方向の伸縮性が低下する。このことから、履き口１０の前方縁部１０ｆの両端部及び履き口１０の後方縁部１０ｒの両端部に対して、それらを前後方向に接続する履き口１０の両側方縁部１０ｓから確実に内側へ向かう引き寄せ力を伝達されることになるので、踵部７やつま先部２でのずれが一層防止される。
【００４４】
履き口１０の前方縁部１０ｆを通って全周にわたる帯状領域には、足底部６において通常のメリヤス編みで編成された他の領域よりも前後方向での伸縮性が高い高伸縮前方帯状部５が編成されている。そして、高伸縮前方帯状部５の略上半周部の前方に低伸縮部４が隣接して設けられており、高伸縮前方帯状部５の略上半周部の後方に履き口１０の前方縁部１０ｆが隣接配置されている。尚、本実施形態では、高伸縮前方帯状部５と低伸縮部４とを隣接させているが、それらの間に通常のメリヤス編み部分を介在させるように構成しても構わない。
【００４５】
前方袋部１と足底部と６の境界部に位置する高伸縮前方帯状部５の下半周部は、その幅が柔軟に変化することで前後方向に柔軟に伸縮自在となる。よって、ずれや脱げることを防止するべく履き口１０の両側方縁部１０ｓに対して高弾性踵上端帯状部２０で生じた張力が伝達される場合であっても、着用者に対して窮屈な装着感を与えることが抑制されている。更に、高伸縮前方帯状部５の下半周部が前後方向に伸長して前方袋部１の下面部分が足底部６に対して前方側に変位することに伴って、着用者の足甲に沿う前方袋部１の上面部分が後方側の履き口１０に向けて変位することになるので、当該前方袋部１が着用者のつま先の特に小指などから脱げることが抑制されている。このような高伸縮前方帯状部５は、ゴム糸などの伸縮性が高い糸を表糸として用いたゴム編みで編成することで、前後方向（編地の縦方向）及び周方向（編地の緯方向）の伸縮性を向上させたものとして構成できる。尚、この高伸縮前方帯状部５については、適宜その形状や配置状態を変更したり省略しても構わない。
【００４６】
〔第２実施形態〕
本発明に係るフットカバーの第２実施形態について、図３に基づいて説明する。
尚、本実施形態は、前述の第１実施形態に対して、後述する高伸縮足底帯状部２５を追加で備える点のみが相違する。よって、以下の説明において、前述の第１実施形態と同様の構成については、図面にて同じ符号を付すと共に、詳細な説明を割愛する場合がある。
【００４７】
本実施形態のフットカバー５１は、図３に示すように、足底部６における周方向に延びる前記履き口１０の両側方縁部１０ｓ間の帯状領域には、足底部６における通常のメリヤス編みで編成された他の領域よりも前後方向での伸縮性が高い高伸縮足底帯状部２５が編成されている。
高伸縮足底帯状部２５は、その幅が柔軟に変化することで、履き口１０の両側方縁部１０ｓを除く足底部６が前後方向に柔軟に伸縮自在となる。よって、ずれや脱げることを防止するべく履き口１０の両側方縁部１０ｓに対して高弾性踵上端帯状部２０で生じた張力が伝達される場合であっても、着用者に対して窮屈な装着感を与えることが抑制されている。このような高伸縮足底帯状部２５は、ゴム糸などの伸縮性が高い糸を用いたメリヤス編みで編成することで、前後方向（編地の縦方向）及び周方向（編地の緯方向）の伸縮性を向上させたものとして構成できる。尚、この高伸縮足底帯状部２５については、適宜その形状や配置状態を変更したり省略しても構わない。
【００４８】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４９】
（１）上記実施形態では、高弾性踵上端帯状部２０とは別に、低伸縮部４や高伸縮前方帯状部５や高伸縮足底帯状部２５等を設けたが、これらは適宜改変又は省略しても構わない。
【００５０】
（２）上記実施形態では、履き口１０の前方に位置する前方袋部１を、全周丸編みで編成したリング部３と往復編みで編成したつま先部２とで構成したが、例えば、リング部３を省略して、往復編みのみでつま先を包むように前方袋部１を編成しても構わない。
【００５１】
（３）上記実施形態では、履き口１０の後方縁部１０ｒを、踵部７の上方端部を折り返してなる折り返し部８として構成したが、踵部７の上方端部を折り返すことなく例えばゴム編み等を施して履き口１０の後方縁部１０ｒを構成しても構わない。
【００５２】
（４）上記実施形態では、周方向に沿った帯状領域に前後方向での伸縮性が高い高伸縮前方帯状部５や高伸縮足底帯状部２５を設けたが、これらの代わりに、同様の帯状領域に周方向での弾性が高い高弾性帯状部を設けても構わない。即ち、このような高弾性帯状部は、着用時において周方向で収縮して、着用者の足指の付け根付近や土踏まず付近の窪みに密着することで、前後方向でのずれを防止することができる。また、このような高弾性帯状部は、通常のゴム編みで編成できるが、例えばゴム糸などの伸縮性が高い糸を添えて弾性を高めるように編成しても構わない。
【符号の説明】
【００５３】
１          前方袋部
２          つま先部
４          低伸縮部
６          足底部
７          踵部
８          折り返し部
９          滑り止め部
１０        履き口
１０ｆ      前方縁部
１０ｒ      後方縁部
１０ｓ      側方縁部
１５        側部ゴアライン
２０        高弾性踵上端帯状部
２５        高伸縮足底帯状部
５０，５１  フットカバー
【図１】
2020090747.tif 000003
【図２】
2020090747.tif 000004
【図３】
2020090747.tif 000005